【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
遊技機を包装する装置であって、
前記遊技機を搬送する搬送手段と、
前記遊技機の制御を行う部分の少なくとも一部を覆うように、熱可塑性材料からなる包装用シートを供給するシート供給手段と、
前記包装用シートに熱溶着及び切断を施す熱溶着切断手段と、
前記搬送手段によって前記遊技機が搬送されつつ前記シート供給手段によって前記包装用シートが供給されることにより前記遊技機の外周へ巻きつけられる前記包装用シート上部の少なくとも一部に第１の熱処理を施す第１の熱処理手段と、
前記包装用シートに前記第１の熱処理が施された後、前記遊技機の外周に巻きつけられた前記包装用シートの少なくとも一部に第２の熱処理を施す第２の熱処理手段と、
を備え、
前記第１の熱処理手段及び前記第２の熱処理手段のうち少なくとも一方は、ヒータからなることを特徴とする遊技機の包装装置。
【請求項２】
前記第１の熱処理手段は、熱風を発生させる熱風発生手段からなり、
前記第２の熱処理手段は、ヒータからなることを特徴とする請求項１に記載の遊技機の包装装置。
【請求項３】
前記ヒータは、前記包装用シートが被着される前記遊技機の前面側及び背面側の略全体に対向するように配設されたことを特徴とする請求項２に記載の遊技機の包装装置。
【請求項４】
前記搬送手段は、前記遊技機を起立姿勢で搬送し、
前記シート供給手段は、前記遊技機の搬送経路を挟んで両側に設けられ、熱可塑性材料からなる長尺状の包装用シートがそれぞれ巻回された一対のシートロールより前記包装用シートをそれぞれ繰り出し、前記搬送手段によって搬送される前記遊技機の両側から前記遊技機の制御を行う部分の少なくとも一部を覆うように、前記包装用シートを供給し、
前記熱溶着切断手段は、開閉自在に設けられた一対の熱溶着バーが設けられると共に、一方の熱溶着バーの内面に切断用ヒータ線が設けられ、前記シート供給手段により供給された前記一対の包装用シートに前記遊技機の搬送方向前方側及び後方側でそれぞれ熱溶着及び切断を施し、
前記第１の熱処理手段は、前記熱溶着切断手段により前記一対の包装用シートに前記遊技機の搬送方向後方側で熱溶着及び切断が施される前に、前記搬送手段によって前記遊技機が搬送されつつ前記シート供給手段によって前記包装用シートが供給されることにより前記遊技機の外周へ巻きつけられる前記包装用シート上部の少なくとも一部に第１の熱処理を施し、
前記第２の熱処理手段は、前記熱溶着切断手段により前記遊技機の搬送方向後方側で熱溶着及び切断が施された後、前記遊技機の外周に巻きつけられた前記包装用シートの少なくとも一部に第２の熱処理を施すことを特徴とする請求項１乃至３のいずれかに記載の遊技機の包装装置。
【請求項５】
前記第１の熱処理手段は、前記遊技機の外周に巻きつけられる包装用シートの前記遊技機前面及び背面の上部を覆う箇所に第１の熱処理を施すことを特徴とする請求項１乃至４のいずれかに記載の遊技機の包装装置。
【手続補正２】
【補正対象書類名】明細書
【補正対象項目名】０００９
【補正方法】変更
【補正の内容】
【０００９】
１．遊技機を包装する装置であって、
前記遊技機を搬送する搬送手段と、
前記遊技機の制御を行う部分の少なくとも一部を覆うように、熱可塑性材料からなる包装用シートを供給するシート供給手段と、
前記包装用シートに熱溶着及び切断を施す熱溶着切断手段と、
前記搬送手段によって前記遊技機が搬送されつつ前記シート供給手段によって前記包装用シートが供給されることにより前記遊技機の外周へ巻きつけられる前記包装用シート上部の少なくとも一部に第１の熱処理を施す第１の熱処理手段と、
前記包装用シートに前記第１の熱処理が施された後、前記遊技機の外周に巻きつけられた前記包装用シートの少なくとも一部に第２の熱処理を施す第２の熱処理手段と、
を備え、
前記第１の熱処理手段及び前記第２の熱処理手段のうち少なくとも一方は、ヒータからなることを特徴とする遊技機の包装装置。
【手続補正３】
【補正対象書類名】明細書
【補正対象項目名】００１１
【補正方法】変更
【補正の内容】
【００１１】
一方、第１の熱処理手段は、搬送手段によって遊技機が搬送されつつシート供給手段によって包装用シートが供給されることにより遊技機の外周へ巻きつけられる包装用シート上部の少なくとも一部に第１の熱処理を施す。よって、包装用シートの上部を熱収縮させることによってずり落ちを防止しつつ、包装用シートを遊技機外周へ緩く巻きつけることができる。次いで、第２の熱処理手段が、遊技機の外周に巻きつけられた包装用シートの少なくとも一部に熱処理を施すことにより、当該被熱処理部分が熱収縮して遊技機の外周形状に沿って略密着する。第２の熱処理手段による第２の熱処理の終了後、熱可塑性材料からなる包装用シートの被熱処理部分が常温で冷却されて硬化するので、包装用シートが遊技機の外周へ略密着する状態が保たれる。特に、第１の熱処理手段及び第２の熱処理手段のうち少なくとも一方が、構造が簡単で安価なヒータによって構成され、ヒータより発せられる熱によって、遊技機に被着される包装用シートに第１の熱処理及び／又は第２の熱処理を確実に施すことができる。
【手続補正４】
【補正対象書類名】明細書
【補正対象項目名】００１４
【補正方法】変更
【補正の内容】
【００１４】
２．前記第１の熱処理手段は、熱風を発生させる熱風発生手段からなり、
前記第２の熱処理手段は、ヒータからなることを特徴とする手段１に記載の遊技機の包装装置。
【手続補正５】
【補正対象書類名】明細書
【補正対象項目名】００１５
【補正方法】変更
【補正の内容】
【００１５】
手段２によれば、熱風発生手段より発生する熱風によって包装用シートの上部に第１の熱処理を施すことにより包装用シートのずり落ちを防止しつつ遊技機外周へ緩く巻きつけ、更に、ヒータからの発熱によって第２の熱処理を施すことにより包装用シートを収縮させて、遊技機の外周に密着させることができる。
【手続補正６】
【補正対象書類名】明細書
【補正対象項目名】００１６
【補正方法】変更
【補正の内容】
【００１６】
３．前記ヒータは、前記包装用シートが被着される前記遊技機の前面側及び背面側の略全体に対向するように配設されたことを特徴とする手段２に記載の遊技機の包装装置。
【手続補正７】
【補正対象書類名】明細書
【補正対象項目名】００１７
【補正方法】変更
【補正の内容】
【００１７】
手段３によれば、熱風発生手段より発生する熱風によって包装用シートの上部に第１の熱処理を施すことにより包装用シートのずり落ちを防止し、更に、包装用シートが被着される遊技機の前面側及び背面側の略全体に対向するように配設されたヒータからの発熱によって第２の熱処理を施すことにより包装用シートを全体に亘って熱収縮させて、遊技機の外周に密着させることができる。
【手続補正８】
【補正対象書類名】明細書
【補正対象項目名】００１８
【補正方法】変更
【補正の内容】
【００１８】
４．前記熱風発生手段は、熱風を継続的に発生させることを特徴とする手段３に記載の遊技機の包装装置。
手段４によれば、熱風発生手段が熱風を継続的に発生させるので、包装用シートに対する熱処理温度が変動することが防止され、多数の遊技機に均一な包装を施すことができる。
【手続補正９】
【補正対象書類名】明細書
【補正対象項目名】００１９
【補正方法】変更
【補正の内容】
【００１９】
５．前記搬送手段による前記遊技機の搬送状態を検出する搬送状態検出手段と、
前記熱風発生手段の熱風噴出口に対して開閉可能に設けられたシャッタ手段と、
前記搬送状態検出手段による搬送停止の検出に基づいて、前記シャッタ手段を閉状態とするシャッタ制御手段と、
を備えたことを特徴とする手段４に記載の遊技機の包装装置。
手段５によれば、搬送状態検出手段が、搬送手段による遊技機の搬送状態を検出し、シャッタ制御手段が、搬送状態検出手段による搬送停止の検出に基づいて、熱風発生手段の熱風噴出口に対して開閉可能に設けられたシャッタ手段を閉状態とするので、搬送が停止した遊技機に巻きつけられる包装用シートへ、熱風発生手段より継続的に発生する熱風によって必要以上の熱処理が施されることを防止できる。
【手続補正１０】
【補正対象書類名】明細書
【補正対象項目名】００２０
【補正方法】変更
【補正の内容】
【００２０】
６．前記シャッタ制御手段は、前記搬送状態検出手段により所定時間以上の搬送停止が検出されたことに基づいて、前記シャッタ手段を閉状態とすることを特徴とする手段５に記載の遊技機の包装装置。
手段６によれば、シャッタ制御手段が、搬送状態検出手段により所定時間以上の搬送停止が検出されたことに基づいてシャッタ手段を閉状態とするので、包装用シートに必要以上の熱処理が施されることを防止することができる。一方、所定時間未満の短時間の搬送停止では、包装用シートへの熱処理が過度になることはないと考えられるため、シャッタ手段は開状態のまま維持される。
【手続補正１１】
【補正対象書類名】明細書
【補正対象項目名】００２１
【補正方法】変更
【補正の内容】
【００２１】
７．前記シャッタ制御手段は、前記シャッタ手段が閉状態にある場合、前記搬送状態検出手段により搬送再開が検出されたことに基づいて、前記シャッタ手段を開状態とすることを特徴とする手段５又は６に記載の遊技機の包装装置。
手段７によれば、シャッタ制御手段は、シャッタ手段が閉状態にある場合、搬送状態検出手段により搬送再開が検出されたことに基づいて、シャッタ手段を開状態とするので、搬送再開時には自動的に第１の熱処理が再開される。
【手続補正１２】
【補正対象書類名】明細書
【補正対象項目名】００２２
【補正方法】変更
【補正の内容】
【００２２】
８．前記搬送手段は、前記遊技機を起立姿勢で搬送し、
前記シート供給手段は、前記遊技機の搬送経路を挟んで両側に設けられ、熱可塑性材料からなる長尺状の包装用シートがそれぞれ巻回された一対のシートロールより前記包装用シートをそれぞれ繰り出し、前記搬送手段によって搬送される前記遊技機の両側から前記遊技機の制御を行う部分の少なくとも一部を覆うように、前記包装用シートを供給し、
前記熱溶着切断手段は、開閉自在に設けられた一対の熱溶着バーが設けられると共に、一方の熱溶着バーの内面に切断用ヒータ線が設けられ、前記シート供給手段により供給された前記一対の包装用シートに前記遊技機の搬送方向前方側及び後方側でそれぞれ熱溶着及び切断を施し、
前記第１の熱処理手段は、前記熱溶着切断手段により前記一対の包装用シートに前記遊技機の搬送方向後方側で熱溶着及び切断が施される前に、前記搬送手段によって前記遊技機が搬送されつつ前記シート供給手段によって前記包装用シートが供給されることにより前記遊技機の外周へ巻きつけられる前記包装用シート上部の少なくとも一部に第１の熱処理を施し、
前記第２の熱処理手段は、前記熱溶着切断手段により前記遊技機の搬送方向後方側で熱溶着及び切断が施された後、前記遊技機の外周に巻きつけられた前記包装用シートの少なくとも一部に第２の熱処理を施すことを特徴とする手段１乃至７のいずれかに記載の遊技機の包装装置。
【手続補正１３】
【補正対象書類名】明細書
【補正対象項目名】００２３
【補正方法】変更
【補正の内容】
【００２３】
手段８によれば、シート供給手段は、遊技機の搬送経路を挟んで両側に設けられた一対のシートロールより包装用シートをそれぞれ繰り出して、搬送手段によって搬送される起立姿勢の遊技機の両側から包装用シートを供給する。次いで、熱溶着切断手段は遊技機の搬送方向前方側で一対の熱溶着バーを閉じ、一対の包装用シートを重ね合わせて熱溶着を施すと共に、切断用ヒータ線により溶着部分の中間で切断する。これにより、当該遊技機を包装するための包装用シートが搬送方向前方側で接合されると共に、先行して搬送される他の遊技機を包装するための包装用シートから分離される。次に、包装用シートは、遊技機が搬送手段によって搬送されるのに伴って、搬送方向前方側の遊技機側面に当接すると共に、シートロールよりさらに繰り出されて遊技機の外周に緩く巻きつけられる。そして、遊技機が搬送手段によってさらに搬送されると、熱溶着切断手段は、遊技機の搬送方向後方側で再び一対の熱溶着バーを閉じ、一対の包装用シートを重ね合わせて熱溶着を施すと共に、切断用ヒータ線により溶着部分の中間で切断する。これにより、当該遊技機を包装するための包装用シートが搬送方向後方側で接合されて全体が筒状に形成されると共に、後続して搬送される他の遊技機を包装するための包装用シートから分離される。
【手続補正１４】
【補正対象書類名】明細書
【補正対象項目名】００２４
【補正方法】変更
【補正の内容】
【００２４】
一方、第１の熱処理手段は、熱溶着切断手段により一対の包装用シートに遊技機の搬送方向後方側で熱溶着及び切断が施される前に、搬送手段によって遊技機が搬送されつつシート供給手段によって包装用シートが供給されることにより遊技機の外周へ巻きつけられる包装用シート上部の少なくとも一部に第１の熱処理を施す。よって、包装用シートの上部を熱収縮させることによってずり落ちを防止しつつ、包装用シートを遊技機外周へ緩く巻きつけることができる。次いで、遊技機の搬送方向後方側で熱溶着及び切断が施された後、第２の熱処理手段が、遊技機の外周に巻きつけられた包装用シートの少なくとも一部に熱処理を施すことにより、当該被熱処理部分が熱収縮して遊技機の外周形状に沿って略密着する。第２の熱処理手段による第２の熱処理の終了後、熱可塑性材料からなる包装用シートの被熱処理部分が常温で冷却されて硬化するので、包装用シートが遊技機の外周へ略密着する状態が保たれる。
【手続補正１５】
【補正対象書類名】明細書
【補正対象項目名】００２５
【補正方法】変更
【補正の内容】
【００２５】
９．前記第１の熱処理手段は、前記遊技機の外周に巻きつけられる包装用シートの前記遊技機前面及び背面の上部を覆う箇所に第１の熱処理を施すことを特徴とする手段１乃至８のいずれかに記載の遊技機の包装装置。
手段９によれば、第１の熱処理手段が、遊技機の外周に巻きつけられる包装用シートの遊技機前面及び背面の上部を覆う箇所に第１の熱処理を施すので、包装用シートにおける遊技機前面及び背面の上部を覆う箇所を確実に熱収縮させてずり落ちを防止することができる。
【手続補正１６】
【補正対象書類名】明細書
【補正対象項目名】００２６
【補正方法】変更
【補正の内容】
【００２６】
１０．前記第１の熱処理手段による第１の熱処理温度は、前記第２の熱処理手段による第２の熱処理温度よりも低く設定されたことを特徴とする手段１乃至９のいずれかに記載の遊技機の包装装置。
手段１０によれば、第１の熱処理手段による第１の熱処理温度が第２の熱処理手段による第２の熱処理温度よりも低く設定されているので、遊技機に緩く巻きつけられた包装用シートがずり落ちない程度に熱収縮させることができる。一方、第２の熱処理手段による第２の熱処理温度が相対的に高く設定されることにより、包装用シートを十分に熱収縮させて遊技機に強固に密着させることができる。
【手続補正１７】
【補正対象書類名】明細書
【補正対象項目名】００２７
【補正方法】変更
【補正の内容】
【００２７】
１１．前記第１の熱処理手段による第１の熱処理の温度は、１００〜２００℃に設定されたことを特徴とする手段１乃至１０のいずれかに記載の遊技機の包装装置。
手段１１によれば、第１の熱処理手段による第１の熱処理の温度は、１００〜２００℃に設定されているので、遊技機に緩く巻きつけられた包装用シートがずり落ちない程度に熱収縮させることができると共に、遊技機を必要以上に加熱して損傷を与えることを防止できる。
【手続補正１８】
【補正対象書類名】明細書
【補正対象項目名】００２８
【補正方法】変更
【補正の内容】
【００２８】
１２．前記シート被着手段は、少なくとも前記遊技機の主制御を行う主制御装置の一部又は全体を覆うように前記包装用シートを被着することを特徴とする手段１乃至１１のいずれかに記載の遊技機の包装装置。
手段１２によれば、少なくとも遊技機の主制御を行う主制御装置の一部又は全体を覆うように包装用シートが被着され、且つ熱処理によって包装用シートが収縮して遊技機の外周に略密着した状態とされるので、主制御装置への不正改造の発見を容易にすると共に不正改造の未然防止を図ることができる。
【手続補正１９】
【補正対象書類名】明細書
【補正対象項目名】００２９
【補正方法】変更
【補正の内容】
【００２９】
１３．前記シート被着手段は、少なくとも前記遊技機に設けられたＬＥＤ基板、音声ランプ制御基板、液晶パネル制御基板、図柄制御基板、図柄情報基板のいずれか一つ以上を含んでなる役物制御装置の一部又は全体を覆うように前記包装用シートを被着することを特徴とする手段１乃至１２のいずれかに記載の遊技機の包装装置。
手段１３によれば、少なくとも遊技機に設けられたＬＥＤ基板、音声ランプ制御基板、液晶パネル制御基板、図柄制御基板、図柄情報基板のいずれか一つ以上を含んでなる役物制御装置の一部又は全体を覆うように包装用シートが被着され、且つ熱処理によって包装用シートが収縮して遊技機の外周に略密着した状態とされるので、役物制御装置への不正改造の発見を容易にすると共に不正改造の未然防止を図ることができる。
【手続補正２０】
【補正対象書類名】明細書
【補正対象項目名】００３０
【補正方法】変更
【補正の内容】
【００３０】
１４．前記シート被着手段は、少なくとも賞球の払出し制御を行う払出し制御装置の一部又は全体を覆うように前記包装用シートを被着することを特徴とする手段１乃至１３のいずれかに記載の遊技機の包装装置。
手段１４によれば、少なくとも賞球の払出し制御を行う払出し制御装置の一部又は全体を覆うように包装用シートが被着され、且つ熱処理によって包装用シートが収縮して遊技機の外周に略密着した状態とされるので、払出し制御装置への不正改造の発見を容易にすると共に不正改造の未然防止を図ることができる。
【手続補正２１】
【補正対象書類名】明細書
【補正対象項目名】００３１
【補正方法】変更
【補正の内容】
【００３１】
１５．前記第１の熱処理手段及び／又は第２の熱処理手段は、前記遊技機に被着された前記包装用シートの特定箇所へ局所的に熱処理を施すように構成されたことを特徴とする手段１乃至１４のいずれかに記載の遊技機の包装装置。
手段１５によれば、包装用シートの特定箇所へ局所的に熱処理を施して熱収縮させるので、効率的に包装用シートを遊技機の外周に略密着させることができると共に、不必要な箇所へ熱処理を施さないことによりエネルギーの無駄な消費を抑えることができる。
【手続補正２２】
【補正対象書類名】明細書
【補正対象項目名】００３２
【補正方法】変更
【補正の内容】
【００３２】
１６．前記第１の熱処理手段及び／又は第２の熱処理手段は、前記遊技機に被着された前記包装用シートにおいて、前記遊技機の制御を行う部分の電子部品搭載箇所を覆う部分を避けて熱処理を施すように構成されたことを特徴とする手段１乃至１５のいずれかに記載の遊技機の包装装置。
手段１６によれば、包装用シートにおいて制御を行う部分の電子部品搭載箇所を覆う部分避けて熱処理を施すので、熱処理によって電子部品を損傷することが防止される。ここで、電子部品とは、包装用シートに熱処理が施された場合に耐熱温度を超える可能性がある部品であり、例えば、遊技機の各部を制御するためのＣＰＵや制御プログラムが記憶されたＲＯＭ等を指している。
【手続補正２３】
【補正対象書類名】明細書
【補正対象項目名】００３３
【補正方法】変更
【補正の内容】
【００３３】
１７．前記第１の熱処理手段及び／又は前記第２の熱処理手段は、前記遊技機に被着された前記包装用シートにおいて、少なくとも前記遊技機外周における一又は複数の段差部分近傍を覆う箇所に熱処理を施すように構成されたことを特徴とする手段１乃至１６のいずれかに記載の遊技機の包装装置。
手段１７によれば、包装用シートにおいて遊技機外周との間に隙間が生じやすい段差部分近傍を覆う箇所に熱処理が施されるので、当該箇所において確実に熱収縮させて遊技機の外周へ略密着させることができる。
【手続補正２４】
【補正対象書類名】明細書
【補正対象項目名】００３４
【補正方法】変更
【補正の内容】
【００３４】
１８．前記遊技機の背面には一又は複数の基板ボックスが配設され、
前記第１の熱処理手段及び／又は前記第２の熱処理手段は、前記遊技機に被着された前記包装用シートにおいて、少なくとも前記遊技機の前記一又は複数の基板ボックスのいずれかの端部近傍を覆う箇所に熱処理を施すように構成されたことを特徴とする手段１乃至１７のいずれかに記載の遊技機の包装装置。
手段１８によれば、包装用シートにおいて遊技機外周との間に隙間が生じやすい基板ボックスの端部近傍を覆う箇所に熱処理を施すので、遊技機背面における当該箇所において確実に熱収縮させて遊技機の外周へ略密着させることができる。
【手続補正２５】
【補正対象書類名】明細書
【補正対象項目名】００３５
【補正方法】変更
【補正の内容】
【００３５】
１９．前記第１の熱処理手段及び／又は前記第２の熱処理手段は、前記遊技機に被着された前記包装用シートにおいて、少なくとも最上位置の基板ボックスの上端部近傍を覆う箇所に熱処理を施すように構成されたことを特徴とする手段１８に記載の遊技機の包装装置。
手段１９によれば、包装用シートにおいて最上位置の基板ボックスの上端部近傍を覆う箇所に熱処理を施すことにより、遊技機背面における包装用シートの上部を確実に収縮させて遊技機外周へ略密着させることができる。
【手続補正２６】
【補正対象書類名】明細書
【補正対象項目名】００３６
【補正方法】変更
【補正の内容】
【００３６】
２０．前記第１の熱処理手段及び／又は前記第２の熱処理手段は、前記遊技機に被着された前記包装用シートにおいて、少なくとも最下位置の基板ボックスの下端部近傍を覆う箇所に熱処理を施すように構成されたことを特徴とする手段１８又は１９に記載の遊技機の包装装置。  
手段２０によれば、包装用シートにおいて最下位置の基板ボックスの下端部近傍を覆う箇所に熱処理を施すので、遊技機背面における包装用シートの下部を確実に収縮させて遊技機外周へ略密着させることができる。
【手続補正２７】
【補正対象書類名】明細書
【補正対象項目名】００３７
【補正方法】変更
【補正の内容】
【００３７】
２１．前記遊技機の背面には複数の基板ボックスが隣接して配設され、
前記第１の熱処理手段及び／又は前記第２の熱処理手段は、前記遊技機に被着された前記包装用シートにおいて、少なくとも前記遊技機の一の基板ボックスと隣接する他の基板ボックスとの間を覆う箇所に熱処理を施すように構成されたことを特徴とする手段１８乃至２０のいずれかに記載の遊技機の包装装置。
手段２１によれば、包装用シートにおいて遊技機外周との間に隙間が生じやすい一の基板ボックスと隣接する他の基板ボックスとの間を覆う箇所に熱処理が施されるので、遊技機背面の当該箇所において確実に収縮させて遊技機の外周へ略密着させることができる。
【手続補正２８】
【補正対象書類名】明細書
【補正対象項目名】００３８
【補正方法】変更
【補正の内容】
【００３８】
２２．前記第１の熱処理手段及び／又は前記第２の熱処理手段は、前記遊技機に被着された前記包装用シートにおいて、少なくとも前記遊技機の前面に配設された上皿近傍を覆う箇所に熱処理を施すように構成されたことを特徴とする手段１乃至２１のいずれかに記載の遊技機の包装装置。
手段２２によれば、包装用シートにおいて遊技機外周との間に隙間が生じやすい上皿近傍を覆う箇所に熱処理が施されるので、遊技機前面の当該箇所において確実に収縮させて遊技機の外周へ略密着させることができる。
【手続補正２９】
【補正対象書類名】明細書
【補正対象項目名】００３９
【補正方法】変更
【補正の内容】
【００３９】
２３．前記第１の熱処理手段及び／又は前記第２の熱処理手段は、前記遊技機に被着された前記包装用シートにおいて、少なくとも前記遊技機の前面に配設された下皿近傍に熱処理を施すように構成されたことを特徴とする手段１乃至２２のいずれかに記載の遊技機の包装装置。
手段２３によれば、包装用シートにおいて遊技機外周との間に隙間が生じやすい下皿近傍を覆う箇所に熱処理が施されるので、遊技機前面の当該箇所において確実に収縮させて遊技機の外周へ略密着させることができる。
【手続補正３０】
【補正対象書類名】明細書
【補正対象項目名】００４０
【補正方法】変更
【補正の内容】
【００４０】
２４．前記第１の熱処理手段及び／又は前記第２の熱処理手段は、前記遊技機に被着された前記包装用シートにおいて、少なくとも前記遊技機の前面に配設された上皿と下皿との間を覆う箇所に熱処理を施すように構成されたことを特徴とする手段１乃至２３のいずれかに記載の遊技機の包装装置。
手段２４によれば、包装用シートにおいて遊技機外周との間に隙間が生じやすい上皿と下皿との間を覆う箇所に熱処理が施されるので、遊技機前面の当該箇所において確実に収縮させて遊技機の外周へ略密着させることができる。
【手続補正３１】
【補正対象書類名】明細書
【補正対象項目名】００４１
【補正方法】変更
【補正の内容】
【００４１】
２５．前記第１の熱処理手段及び／又は前記第２の熱処理手段は、前記遊技機に被着された前記包装用シートにおいて、少なくとも前記遊技機の高耐熱性部材を覆う箇所に熱処理を施すように構成されたことを特徴とする手段１乃至２４のいずれかに記載の遊技機の包装装置。
手段２５によれば、包装用シートにおいて遊技機の高耐熱性部材を覆う箇所に熱処理が施されるので、遊技機が熱処理によって損傷することを防止することができる。
【手続補正３２】
【補正対象書類名】明細書
【補正対象項目名】００４２
【補正方法】変更
【補正の内容】
【００４２】
２６．前記第１の熱処理手段及び／又は前記第２の熱処理手段は、前記遊技機に被着された前記包装用シートにおいて、少なくとも前記遊技機の金属製部材を覆う箇所に熱処理を施すように構成されたことを特徴とする手段２５に記載の遊技機の包装装置。
手段２６によれば、包装用シートにおいて遊技機各部に設けられた金属製部材を覆う箇所に熱処理が施されるので、遊技機が熱処理によって損傷することを防止することができる。
【手続補正３３】
【補正対象書類名】明細書
【補正対象項目名】００４３
【補正方法】変更
【補正の内容】
【００４３】
２７．前記第１の熱処理手段及び／又は前記第２の熱処理手段は、前記遊技機に被着された前記包装用シートにおいて、少なくとも前記遊技機の熱硬化性樹脂製部材を覆う箇所に熱処理を施すように構成されたことを特徴とする手段２５に記載の遊技機の包装装置。
手段２７によれば、包装用シートにおいて遊技機に設けられた熱硬化性樹脂製部材（例えば、遊技機前面に設けられた灰皿等）を覆う箇所に熱処理が施されるので、遊技機が熱処理によって損傷することを防止することができる。
【手続補正３４】
【補正対象書類名】明細書
【補正対象項目名】００４４
【補正方法】変更
【補正の内容】
【００４４】
２８．前記第１の熱処理手段及び／又は前記第２の熱処理手段は、前記遊技機に被着された前記包装用シートにおいて、少なくとも前記包装用シートと前記遊技機との間に所定の距離が確保される箇所に熱処理を施すことを特徴とする手段１乃至２７のいずれかに記載の遊技機の包装装置。
手段２８によれば、包装用シートにおいて包装用シートと遊技機との間に所定の距離が確保される箇所に熱処理が施されるので、遊技機に対する熱伝導が少なく、熱処理による遊技機の損傷を防止することができる。さらに、当該箇所の包装用シートを熱処理によって収縮させることにより、遊技機の外周へ密着させることができる。尚、包装用シートと遊技機との間に所定の距離が確保される箇所とは、例えば、遊技機前面の上皿、下皿の端部近傍及び上皿と下皿との間、遊技機背面の基板ボックスの端部近傍、隣接する基板ボックスの間等である。
【手続補正３５】
【補正対象書類名】明細書
【補正対象項目名】００４５
【補正方法】変更
【補正の内容】
【００４５】
２９．前記包装用シートが被着された前記遊技機を装置下流方向へ搬送しつつ前記熱処理手段による第１の熱処理及び／又は第２の熱処理を行うように構成されたことを特徴とする手段１乃至２８のいずれかに記載の遊技機の包装装置。
手段２９によれば、包装用シートが被着された遊技機を装置下流方向へ搬送しつつ熱処理手段による熱処理を行うので、第１の熱処理手段及び／又は第２の熱処理手段を固定配置した状態で包装用シートの広い領域に熱処理を施すことができる。
【手続補正３６】
【補正対象書類名】明細書
【補正対象項目名】００４６
【補正方法】変更
【補正の内容】
【００４６】
３０．前記第２の熱処理手段は、２００℃〜４００℃の温度で熱処理を施すことを特徴とする手段１乃至２９のいずれかに記載の遊技機の包装装置。
手段３０によれば、第２の熱処理手段が２００℃〜４００℃の温度で熱処理を施すので、熱可塑性材料からなる包装用シートを確実に収縮させることができると共に、熱によって遊技機を損傷させることがない。
【手続補正３７】
【補正対象書類名】明細書
【補正対象項目名】００４７
【補正方法】変更
【補正の内容】
【００４７】
３１．前記第１の熱処理手段及び前記第２の熱処理手段のうち少なくとも一方の先端部分は、可動であることを特徴とする手段１乃至３０のいずれかに記載の遊技機の包装装置。
手段３１によれば、第１の熱処理手段及び第２の熱処理手段のうち少なくとも一方の先端部分が可動であるので、包装用シートに偏り無く熱処理を施すことができる。例えば、熱処理手段としてノズルの先端より熱風を噴出させる構成を採用した場合、ノズルの先端を上下に首振り状に動かすことにより、遊技機の外周に被着された包装用シートへ上下に万遍なく熱風を吹きつけて均一に熱処理を施すことができる。
【手続補正３８】
【補正対象書類名】明細書
【補正対象項目名】００４８
【補正方法】変更
【補正の内容】
【００４８】
３２．前記熱可塑性材料は、熱可塑性樹脂であることを特徴とする手段１乃至３１のいずれかに記載の遊技機の包装装置。
手段３２によれば、包装用シートが熱可塑性樹脂からなるので、遊技機を確実に保護することができると共に、熱処理によって容易に収縮させ、且つ常温で冷却して硬化させることができる。
【手続補正３９】
【補正対象書類名】明細書
【補正対象項目名】００４９
【補正方法】変更
【補正の内容】
【００４９】
３３．前記熱可塑性樹脂は、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであることを特徴とする手段３２に記載の遊技機の包装装置。
手段３３によれば、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかの熱可塑性樹脂からなる安価な包装用シートを用いて、遊技機を確実に保護することができると共に、熱処理によって容易に収縮させ、且つ常温で冷却して硬化させることができる。
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】